(57)【要約】 【課題】  羽毛ふとんが不使用のときに、折り畳んだ羽毛ふとんを収納すると共にそれをリビングや乗用車のクッションとして用いることのできるクッション兼用羽毛ふとん収納袋を提供する。【解決手段】  クッション兼用羽毛ふとん収納袋は、羽毛ふとんを折り畳んで収納可能な袋体であって、該羽毛ふとんを封入した際羽毛の弾発性で膨らんでクッションとして機能する容積及び形状を備えたことを特徴とする。【選択図】        図１
0003149511.tif 000002
【実用新案登録請求の範囲】
【請求項１】
羽毛ふとんを折り畳んで収納可能な通気性素材の袋体であって、該羽毛ふとんを封入した際羽毛の弾発性で膨らんでクッションとして機能する容積及び形状を備えたことを特徴とするクッション兼用羽毛ふとん収納袋。
【請求項２】
請求項１記載の羽毛ふとん収納袋であって、紐体の端部を結んで環を形成する連結用の括り環を設け、折り畳んだ羽毛ふとんが袋体に封入された際に袋体の括り紐又は括りループが臨むであろう位置を想定して、それに対応した位置に前記括り環を袋体内の少なくとも２ケ所以上に配置することを特徴とするクッション兼用羽毛ふとん収納袋。
【請求項３】
請求項１ないし２記載の羽毛ふとん収納袋であって、羽毛ふとん収納袋は、畳んだ際の羽毛ふとんの容積に対し、袋体の容積を６０〜２０％の割合とすることを特徴とするクッション兼用羽毛ふとん収納袋。
【請求項４】
請求項１ないし３記載の羽毛ふとん収納袋であって、通気性素材を、木綿又はポリエステルとしたことを特徴とするクッション兼用羽毛ふとん収納袋。
【考案の詳細な説明】
【技術分野】
【０００１】
本考案は、羽毛ふとんが不使用のときに、折り畳んだ羽毛ふとんを収納すると共にそれをリビングや乗用車のクッションとして用いることのできるクッション兼用羽毛ふとん収納袋に関する。
【背景技術】
【０００２】
従来羽毛ふとんの販売時の形態は、通気性のない合成樹脂の素材で角形のケースを形成し、そこに圧縮した羽毛ふとんを収納して販売されている。
ところで、該羽毛ふとんは夏用と冬用で厚み等が異なるため、夏には冬物を仕舞い、逆に冬には夏物を仕舞わねばならない。しかし、最近の住宅事情では押し入れが充分に備えられていない家も多くなっており、不使用の羽毛ふとんの収納が厄介な問題となっている。
そこで、上記販売時のケースに収納できれば便利であるが、該販売時のケースは通気性がない等保管に配慮がない為、そこに羽毛ふとんを納めると夏等には蒸れてしまいカビが発生する恐れがあり、使用が不可能である。
一方、従来消布団収納袋の内面に臭加工布を設け、内部に蓄積される羽毛や羊毛の臭いを吸収することのできる布団収納袋が特許文献１に提案されている。
【特許文献１】実開平６−４２７７９
【考案の開示】
【考案が解決しようとする課題】
【０００３】
しかし、該特許文献１の提案にあっても、臭いを吸収して羽毛布団が保管できるものの、やはり相当の容積を有し、押し入れのない家やあっても一杯となっている家では厄介な存在であることに変わりはない。
そこで本考案は、通常は羽毛ふとんとして使用できるが、不使用時には羽毛ふとんの特性を活用して、リビングや乗用車のクッションとして利用可能な羽毛ふとん収納袋を提供するものである。
【課題を解決するための手段】
【０００４】
この目的を達成するため請求項１記載のクッション兼用羽毛ふとん収納袋は、羽毛ふとんを折り畳んで収納可能な袋体であって、該羽毛ふとんを封入した際羽毛の弾発性で膨らんでクッションとして機能する容積及び形状を備えたことを特徴とする。
【０００５】
請求項２記載のクッション兼用羽毛ふとん収納袋は、請求項１に記載の羽毛ふとん収納袋であって、紐体の端部を結んで環を形成する連結用の括り環を設け、折り畳んだ羽毛ふとんが袋体に封入された際に袋体の括り紐又は括りループが臨むであろう位置を想定して、それに対応した位置に前記括り環を袋体内の少なくとも２ケ所に配置することを特徴とする。
請求項３記載のクッション兼用羽毛ふとん収納袋は、畳んだ際の羽毛ふとんの容積１００に対し、袋体の容積を６０〜２０％の割合とすることを特徴とする。
請求項４記載のクッション兼用羽毛ふとん収納袋は、通気性素材を、木綿又はポリエステルとしたことを特徴とする。
【考案の効果】
【０００６】
時期的に使用しない羽毛布団を畳んで本案袋に収納すると、羽毛は本来弾発性を有しており、それが一定容積及び形状の袋体に詰められると、膨らんでクッションとして機能するので、押し入れ等への収納を必要とせず、且つ、リビングや乗用車等で優れたクッションとして利用できる。
その際、袋内に括り環を設け、羽毛ふとんの括り紐及び括りループとの間に綴じ紐を通し止めホックで止めると、綴じ具を介して布団の隅が袋体にしっかり固定され、クッションとしての激しい動きを伴っても中で布団がズレることがない。
畳んだ際の羽毛ふとんの容積１００に対し袋体の容積を２０％程度とすれば、硬めで背当てクッション等に適し、６０％程度とすれば柔らかめでフロアークッション等に適したものとなる。
更に、素材に通気性があるので室内に湿気があっても蒸れる恐れがない。
【考案を実施するための最良の形態】
【０００７】
本考案の実施の形態を説明する。
図１、図２及び図３に示す如く、１が丸型、角型等に形成する袋体であり、その容積は、封入すべき羽毛ふとんの容積との関係で決定される。即ち、羽毛ふとんは四つ折り、又は六つ折りに折り畳み、それを袋体に封入したとき、羽毛の弾発力で布体が膨らむ。そこで、その弾発性による膨出力を利用して、羽毛ふとんを一定容積の袋体に封入してクッションとして活用すべく、その大きさ、形状を決定する。
羽毛ふとんは、折り畳み、且つ、若干の押圧を加えて収縮させたとき、それに反発して膨出力が大きくなる。一方、あまりに容積を少なくして過剰に圧縮すると、クッションとして堅いばかりでなく、再度羽毛ふとんとして使用する際に膨らみを失うことになる。
そこで、本案羽毛ふとん収納袋は、羽毛ふとんの容積より少ない容積とし、具体的には、畳んだ際の羽毛ふとんの容積１００とした場合、袋体の容積を６０〜２０％程度の割合とするのが好ましい。
２０％の場合は硬めで、背当てクッションやソファークッションに適し、６０％の場合は柔らかめで、フロアークッション等に適したものとなる。例えば、１５０×２１０×１０ｃｍの寸法の羽毛ふとんの場合に、袋体を直径７０ｃｍで厚み２０ｃｍの円形とすると２４％となり、ソファークッションとして用いることができる。
【０００８】
次に、上記袋体の開口部２にはファスナ２ａを設けるが、当該開口部２は、上述の如く、袋体１の容積に対してより大きめの羽毛ふとんＵを封入させる為、出し入れに便なように大きめとし、例えば円形の袋体の場合には上半円に近い長さとし、そこにファスナ２ａを付設させる。
該袋体は、円形の他に四角形でも良く、その際には開口部２は、四角形の縁に沿って二面を開口させ、ファスナ２ａを連続したＬ字型に形成する。
【０００９】
該袋体１の素材は、室内等の湿気で羽毛が蒸れることのないよう通気性のある素材とし、例えば木綿又はポリエステル等の繊維とし、必要に応じて、通気用の小さな孔６を穿設しても良い。
【００１０】
次いで、袋体１に羽毛ふとんＵを封入してクッションとして使用するとき、クッションとしての動きによって内部の羽毛ふとんＵがズレたり、変形したりする恐れがある。
そこで、羽毛ふとんの四隅には、ふとんカバーを固定するための括り紐Ｕ１、及び括りループＵ２が付設されているが、その利用に着目し、先ず、本案袋体の内部には、紐体の端部を結んで環を形成する連結用の括り環３を設け、折り畳んだ羽毛ふとんが袋体１に封入された際に上記括り紐Ｕ１又は括りループＵ２が臨むであろう位置を想定して、それに対応した位置に上記該括り環３を袋体１内の少なくとも２ケ所、望ましくは４カ所に配置する。具体的には、開口部２付近の少なくとも２ケ所、望ましくは奥に２ケ所を加えて４カ所に配置する。
【００１１】
そして、上記括り紐Ｕ１又は括りループＵ２と括り環３とに介設させて、両者の輪をくぐることが可能な幅と長さを備えた綴じ紐５ａを形成し、その左右両端部に止めホック５ｂ、５ｂを配した綴じ具５を設ける。
即ち、折り畳んだ羽毛ふとんを袋体１に封入した際、括り紐Ｕ１又は括りループＵ２と
括り環３との間に、綴じ紐５ａをくぐらせ、その両端を止めホック５ｂ、５ｂで止めて、袋体１と羽毛ふとんＵとを相互に結びつける構造とする。
【００１２】
袋体１の上部には、販売時及びクッションとして持ち運びのために取手４を形成する。
【００１３】
本案袋体を使用するには、先ず、夏用又は冬用の使用しなくなった羽毛ふとんＵを対象とし、これを四つ折り又は六つ折りとして畳む。次いで、本案袋体の開口部２のファスナ２ａを引いて、開口部２を開き、そこに上記折り畳んだ羽毛ふとんＵを押し込んで装填する。このとき、羽毛ふとんは弾発して入れづらいが、上半分程度を開いた開口部２ａによって円滑に羽毛ふとんを入れることができる。
【００１４】
ついで、上記折り畳みの際、四つ折り又は六つ折りに畳むと、羽毛ふとんの四隅に付設されている括り紐Ｕ１及び括りループＵ２が、畳んだふとんの隅角にあらわれる。そこで、該括り紐Ｕ１及び括りループＵ２と、本案袋体の内部に設けた括り環３との間に、綴じ具５の綴じ紐５ａを通し、その両端を合わせた後、止めホック５ｂ、５ｂを止める。
【００１５】
そして、ファスナ２ａを締めて開口部２を閉じると、それがクッションとしての形態を呈するものとなる。
これをクッションとして用いると、羽毛が本来もっている弾力性が発揮され、それがすこし少なめの容量の袋体に羽毛ふとんが押し込まれるので、周囲から押されて羽毛が反発し、弾力性がより発揮されるものとなる。リビングでのソファーに置いて使用でき、又、乗用車に持ち込んで車内でのクッションとすることもできる。
【００１６】
使用にあたって、背当て等にすると羽毛の動きが激しくなり、ふとんと袋体との間でズレが生じ、クッションとして変形したり、歪な形になる恐れがあるが、本案ふとん収納袋は綴じ具５が、羽毛ふとんの四隅に付設されている括り紐Ｕ１及び括りループＵ２と上記括り環３とが結びついているので安定し、クッションをどのように激しく扱っても、ズレや変形が起こらない。
【００１７】
居間から寝室へと等クッションを移動したいときには、取手４をもって簡単に移動できる。
【００１８】
更に、日本の夏期は湿気が強く、羽毛が蒸れて内部にカビが発生する恐れがあるが、袋体１の素材を木綿又はポリエステル等の通気性のある繊維とし、必要に応じて、通気用の小さな孔を穿設しているので、カビ発生の恐れもない。
【００１９】
そして、季節が変わって再度使用する場合には、ファスナ２ａを引いて開口部２を開け、止めホック５ｂ、５ｂを外して綴じ紐５ａを除けば、袋体１から羽毛ふとんUを簡単に取り出すことができ、通常通り羽毛ふとんとして使用を繰り返すことができる。
【産業上の利用可能性】
【００２０】
本考案は、不使用時の羽毛ふとんを収納してリビングや乗用車でのクッションとして利用し、通常の使用時には、取り出して羽毛とんとして再度使用のできる羽毛ふとん収納体として利用できる。
【図面の簡単な説明】
【００２１】
【図１】本案羽毛ふとん収納袋の正面図である。
【図２】本案羽毛ふとん収納袋の縦断側面図である。
【図３】羽毛ふとんの斜視図である。
【図４】羽毛ふとんを収納した状態の本案羽毛ふとん収納袋の縦断側面図である。
【図５】綴じ具の斜視図である。
【符号の説明】
【００２２】
１  袋体
２  開口部
２ａ  ファスナ
３  括り環  
４  取手
５  綴じ具
５ａ  綴じ紐
５ｂ  止めホック
６  通気用の孔
U  羽毛ふとん
U1  括り紐
U2  括りループ
【図１】
0003149511.tif 000003
【図２】
0003149511.tif 000004
【図３】
0003149511.tif 000005
【図４】
0003149511.tif 000006
【図５】
0003149511.tif 000007
【手続補正書】
【提出日】平成21年1月27日(2009.1.27)
【手続補正１】
【補正対象書類名】実用新案登録請求の範囲
【補正対象項目名】全文
【補正方法】変更
【補正の内容】
【実用新案登録請求の範囲】
【請求項１】
羽毛ふとんを折り畳んで収納可能な通気性素材の袋体であって、該羽毛ふとんを封入した際羽毛の弾発性で膨らんでクッションとして機能する容積及び形状を備えたことを特徴とするクッション兼用羽毛ふとん収納袋。
【請求項２】
請求項１記載の羽毛ふとん収納袋であって、紐体の端部を結んで環を形成する連結用の括り環を設け、折り畳んだ羽毛ふとんが袋体に封入された際に袋体の括り紐又は括りループが臨むであろう位置を想定して、それに対応した位置に前記括り環を袋体内の少なくとも２ケ所以上に配置することを特徴とするクッション兼用羽毛ふとん収納袋。
【請求項３】
請求項１又は２に記載の羽毛ふとん収納袋であって、羽毛ふとん収納袋は、畳んだ際の羽毛ふとんの容積に対し、袋体の容積を６０〜２０％の割合とすることを特徴とするクッション兼用羽毛ふとん収納袋。
【請求項４】
請求項１〜３のいずれか一項に記載の羽毛ふとん収納袋であって、通気性素材を、木綿又はポリエステルとしたことを特徴とするクッション兼用羽毛ふとん収納袋。